(57)【要約】【課題】細菌検査において、被検査部位に影響を与えずに細菌を採種することができ、検査液による細菌検査等を簡単且つ正確にすることが可能で、検査後の消毒作業等の手順を間違いなく確実に行うことができる検査キット用容器を提供する。【解決手段】容器本体１０に、細菌に反応する反応剤Ｐを収容せしめる第１収容部１１を設ける。被検査部位の菌を採種する採種棒５０を収納せしめる棒収納部１２を設ける。容器本体１０の第１収容部１１及び棒収納部１２の開口部を同時に施蓋する二股状の中蓋２０を設ける。中蓋２０の上部に上蓋３０を配置する。この上蓋３０に、溶液Ｑを収容せしめる第２収容部３１を備える。菌採種後の採種棒５０を第１収容部１１内の反応剤Ｐに接触させる。第２収容部３１内の溶液Ｑが第１収容部１１内の流入するように設ける。【選択図】図１
2008128761.tif 000002
【特許請求の範囲】
【請求項１】
細菌に反応する反応剤を収容せしめる第１収容部と被検査部位の菌を採種する採種棒を収納せしめる棒収納部とを隔離して並列に備えた容器本体と、該容器本体の第１収容部及び棒収納部の開口部を同時に施蓋すると共に採種棒を棒収納部又は第１収容部のいずれか内部に懸吊せしめる二股状の中蓋と、中蓋の上部に配置され反応剤に混合する溶液を収容せしめる第２収容部を備えた上蓋と、を有し、菌採種後の採種棒を第１収容部内に懸吊して反応剤に接触させ、第２収容部内の溶液が第１収容部内の流入し、反応剤に混合するように設けたことを特徴とする検査用キット。
【請求項２】
前記上蓋の第２収容部の底部に開封自在なシール材を設け、一方、前記中蓋に、採種棒がわに連通する流入孔を開穿すると共に該中蓋に第２収容部のシール材方向に突出した破断用突起を設け、上蓋を中蓋方向に押し込むと破断用突起がシール材を破断し、第２収容部の溶液が流入孔から第１収容部に流入するように設けた請求項１記載の検査用キット。
【請求項３】
前記容器本体の開口部外周にフランジを設けると共に、該フランジにねじ止め装着する回転リングを設け、前記中蓋と上蓋との周囲に回転リングを回転自在に装着し、回転リングをフランジに着脱することで、中蓋及び上蓋を容器本体に着脱するように設けた請求項１又は２記載の検査用キット。
【請求項４】
前記上蓋と前記回転リングとの間に連結帯体を設け、該連結帯体を取り除いたときに上蓋が中蓋方向にスライドするように設けた請求項３記載の検査用キット。
【請求項５】
前記第１収容部内に収容する反応剤として、細菌の有無を検査する検査液を収容し、前記第２収容部内に収容する溶液として、第２収容部内の反応剤及び採種棒を殺菌する消毒液を収容した請求項１乃至４いずれか記載の検査用キット。
【請求項６】
前記第１収容部内に収容する反応剤として、細菌を培養する液状、ゲル状、粉末状の培養地を収容し、前記第２収容部内に収容する溶液として、培養地を調整せしめる添加剤を収容した請求項１乃至４いずれか記載の検査用キット。
【発明の詳細な説明】
【技術分野】
【０００１】
本発明は、細菌検査において、細菌を採種し、検査液の反応を確認し消毒するなどの検査の手順を容易、且つ確実に行うための検査用キットに関する。
【背景技術】
【０００２】
この種の検査キットとして、特許文献１に記載された拭き取り検査キットが提案されている。この検査キットによると、容器本体に収容された検液を所定量分注し易くしたもので、容器本体の内部に希釈液を収容し、この希釈液中に綿球を浸漬しておく。そして、綿球を用いて拭き取り操作を行った後、再度綿球を容器本体に収容することで、綿球に付着した検体を希釈液中に回収する。その後、検査キットを逆さにし、検液をシャーレ等の検査容器内へ滴下するものである。
【０００３】
特許文献２に記載の検査用具では、検査用培地を簡単にかつ短時間で調製することができるようにしたもので、チューブ状容器の内部に液状または粉末状の第１内容物を収容すると共に、この第１内容物と混合されることにより検査用培地が調製される第２内容物が封入された内部包装体を収容したもので、内部包装体に外部から加える変形力によって内部包装体を破裂せしめることで、チューブ状容器の内部に検査用培地を作り出すものである。
【特許文献１】特開２００３−３４４２３２号公報
【特許文献２】特開２００６−２２３１６８号公報
【発明の開示】
【発明が解決しようとする課題】
【０００４】
特許文献１の検査キットでは、希釈液中に綿球を浸漬した綿球を用いて拭き取り作業を行うので、常に湿潤した綿球が使用されることになる。そうすると、乾燥した対象物から検体を採種する際に、対象物を希釈液で濡らしてしまう不都合が生じる。また、綿球に付着した検体を希釈液中に回収した後は、検液をシャーレ等に移して培養する作業が必要になるので、検査作業に多くの手間を要するものであった。
【０００５】
特許文献２に記載の検査用具は、柔軟性樹脂剤で形成されたチューブ状容器の内部に内部包装体を収容し、この内部包装体にチューブ状容器の外側から圧力を加えて内部包装体を破裂せしめる構造を採用している。このため、この内部包装体に使用する材質や接着剤等がチューブ状容器内の内容物と思わぬ反応が生じる恐れがある。特に、チューブ状容器内の内容物が検査溶液などの場合は、内部包装体から溶け出した極めて微量な物質でも正確な検査を妨げる可能性がある。また、破裂した内部包装体の内部に内容物が残留する可能性もあり、正確な量の内容物を供給できずに正確な測定ができない場合も想定される。
【０００６】
そこで、本発明は上述の課題を解消すべく創出されたもので、細菌検査において、被検査部位に影響を与えずに細菌を採種することができ、検査液による細菌検査等を簡単且つ正確にすることが可能で、検査後の消毒作業等の手順を間違いなく確実に行うことができる検査キット用容器の提供を目的とするものである。
【課題を解決するための手段】
【０００７】
本発明の第１の手段は、細菌に反応する反応剤Ｐを収容せしめる第１収容部１１と被検査部位の菌を採種する採種棒５０を収納せしめる棒収納部１２とを隔離して並列に備えた容器本体１０と、該容器本体１０の第１収容部１１及び棒収納部１２の開口部を同時に施蓋すると共に採種棒５０を棒収納部１２又は第１収容部１１のいずれか内部に懸吊せしめる二股状の中蓋２０と、中蓋２０の上部に配置され反応剤Ｐに混合する溶液Ｑを収容せしめる第２収容部３１を備えた上蓋３０と、を有し、菌採種後の採種棒５０を第１収容部１１内に懸吊して反応剤Ｐに接触させ、第２収容部３１内の溶液Ｑが第１収容部１１内の流入し、反応剤Ｐに混合するように設けたことにある。
【０００８】
第２の手段は、前記上蓋３０の第２収容部３１の底部に開封自在なシール材３２を設け、一方、前記中蓋２０に、採種棒５０がわに連通する流入孔２１を開穿すると共に該中蓋２０に第２収容部３１のシール材３２方向に突出した破断用突起２２を設け、上蓋３０を中蓋２０方向に押し込むと破断用突起２２がシール材３２を破断し、第２収容部３１の溶液Ｑが流入孔２１から第１収容部１１に流入するように設けている。
【０００９】
第３の手段は、前記容器本体１０の開口部外周にフランジ１３を設けると共に、該フランジ１３にねじ止め装着する回転リング４０を設け、前記中蓋２０と上蓋３０との周囲に回転リング４０を回転自在に装着し、回転リング４０をフランジ１３に着脱することで、中蓋２０及び上蓋３０を容器本体１０に着脱するように設ける。
【００１０】
第４の手段は、前記上蓋３０と前記回転リング４０との間に連結帯体４３を設け、該連結帯体４３を取り除いたときに上蓋３０が中蓋２０方向にスライドするように設けている。
【００１１】
第５の手段は、前記第１収容部１１内に収容する反応剤Ｐとして、細菌の有無を検査する検査液を収容し、前記第２収容部３１内に収容する溶液Ｑとして、第２収容部３１内の反応剤Ｐ及び採種棒５０を殺菌する消毒液を収容する。
【００１２】
第６の手段は、前記第１収容部１１内に収容する反応剤Ｐとして、細菌を培養する液状、ゲル状、粉末状の培養地を収容し、前記第２収容部３１内に収容する溶液Ｑとして、培養地を調整せしめる添加剤を収容したことを課題解消のための手段とする。
【発明の効果】
【００１３】
本発明の請求項１により、容器本体１０を使用して、細菌の採種から検査、殺菌等の工程を一連の手順で行うことができるので、たとえば検査液による細菌検査を簡単且つ正確にすることができ、検査後の消毒作業等の手順を間違いなく確実に行うことができる。
【００１４】
また、採種棒５０は、容器本体１０の棒収納部１２に収納されているから、特許文献１の如く、採種棒５０が湿潤することがないので、被検査部位に影響を与えずに細菌を採種することが可能である。
【００１５】
請求項２により、上蓋３０を中蓋２０方向に押し込むと破断用突起２２がシール材３２を破断し、第２収容部３１の溶液Ｑが流入孔２１から第１収容部１１に流入するように設けたことで、反応剤Ｐと溶液Ｑとの混合作業を簡単な操作で確実に行うことができる。
【００１６】
請求項３によると、容器本体１０のフランジ１３にねじ止め装着する回転リング４０を設け、この回転リング４０の操作のみで、中蓋２０及び上蓋３０の着脱が同時に行え、しかも、中蓋２０による容器本体１０の施蓋を極めて合理的に行える。
【００１７】
請求項４により、連結帯体４３を取り除いたときに、上蓋３０が中蓋２０方向にスライドするように設けているので、作業者は、反応剤Ｐと溶液Ｑとの混合作業を、回転リング４０を除去して上蓋３０を押し込むという一連の作業を確認しながら行うことになり、誤って上蓋３０を押し込むおそれがない。また、連結帯体４３が残っているときは、混合作業が行われていないことを目視で確認できる。
【００１８】
請求項５の如く、反応剤Ｐとして細菌の有無を検査する検査液を使用し、溶液Ｑとして反応剤Ｐ及び採種棒５０を殺菌する消毒液を使用すると、細菌の有無を確認して消毒するまでの検査工程を極めて合理的に行うことができる。
【００１９】
請求項６の如く、反応剤Ｐとして細菌を培養する液状、ゲル状、粉末状の培養地を使用し、溶液Ｑとして培養地を調整する添加剤を使用すると、細菌や微生物等を分離培養することも可能になる。
【００２０】
このように本発明によると、細菌検査において、被検査部位に影響を与えずに細菌を採種することができ、たとえば検査液による細菌検査を簡単且つ正確にすることが可能で、検査後の消毒作業等の手順を間違いなく確実に行うことができるなどといった優れた効果を奏するものである。
【発明を実施するための最良の形態】
【００２１】
本発明の最良の形態は、細菌に反応する反応剤Ｐを収容せしめる第１収容部１１と被検査部位の菌を採種する採種棒５０を収納せしめる棒収納部１２とを隔離して並列に備えた容器本体１０を設ける。該容器本体１０の第１収容部１１と棒収納部１２との開口部を同時に施蓋すると共に採種棒５０を棒収納部１２又は第１収容部１１のいずれか内部に懸吊せしめる二股状の中蓋２０を設ける。中蓋２０の上部に配置され反応剤Ｐに混合する溶液Ｑを収容せしめる第２収容部３１を備えた上蓋３０を設ける。前記上蓋３０の第２収容部３１の底部に開封自在なシール材３２を設ける。一方、前記中蓋２０に、採種棒５０がわに連通する流入孔２１を開穿すると共に該中蓋２０に第２収容部３１のシール材３２方向に突出した破断用突起２２を設ける。菌採種後の採種棒５０を第１収容部１１に収納した反応剤Ｐに接触させた後で、上蓋３０を中蓋２０方向に押し込むと破断用突起２２がシール材３２を破断し、第２収容部３１の溶液Ｑが流入孔２１から第１収容部１１に流入するように設けることで、当初の目的を達成するものである。
【実施例】
【００２２】
本発明検査キットの基本構成は、容器本体１０、中蓋２０、上蓋３０、回転リング４０、採種棒５０からなる（図１参照）。
【００２３】
容器本体１０は、縦長の容器で内部に第１収容部１１と棒収納部１２との二つの部屋を並列に備えている。一方の部屋は第１収容部１１であり、細菌に反応する反応剤Ｐを収容する。他方の部屋は、棒収納部１２であり、この棒収納部１２は空の状態にしておき、菌を採種する採種棒５０を無菌状態で収納する（図１参照）。採種棒５０は、綿棒の使用を予定しているが、他の棒状部材を利用することも可能である。これらの第１収容部１１及び棒収納部１２の開口部は、同じ寸法で同形状を成しており、後述する二股の中蓋２０で両方の開口部が同時に施蓋されるものである。
【００２４】
中蓋２０は、第１収容部１１と棒収納部１２との開口部を同時に施蓋すると共に、採種棒５０を棒収納部１２又は第１収容部１１のいずれか内部に懸吊せしめるものである。すなわち、中蓋２０は、第１収容部１１の開口部に差し込む密封突部２３と、棒収納部１２の開口部に差し込む懸吊突部２４とを備えた二股状を成している（図７参照）。この懸吊突部２４には、採種棒５０の上端部を吊持せしめる吊持部２４Ａを設けている（図２、図６参照）。そして、未使用の採種棒５０を、懸吊突部２４の吊持部２４Ａに吊持して棒収納部１２内に収納する（図１参照）。また、菌採種後は、懸吊突部２４に懸吊したまま採種棒５０を第１収容部１１内に挿入し、第１収容部１１の開口部に懸吊突部２４を差し込み固定する（図３参照）。一方、密封突部２３は、空になった棒収納部１２の開口部に固定する。
【００２５】
更に、中蓋２０には、中蓋２０の上面から採種棒５０がわに連通する流入孔２１を開穿している（図５、図６参照）。この流入孔２１は、中蓋２０の上に配置した上蓋３０の第２収容部３１に収容した溶液Ｑを、第１収容部１１に流入させるものである。そのため、中蓋２０から第２収容部３１方向に突出した破断用突起２２を設けてあり、後述する第２収容部３１のシール材３２を破断するように設けている（図５、図７参照）。図示例では、破断したシール材３２を開放状態に保持するため、シール材３２を突き上げておく開放保持部２５を中蓋２０に設けている（図５、図６参照）。この開放保持部２５により、第２収容部３１内の溶液Ｑを余すことなく排出させることができる。
【００２６】
上蓋３０は、中蓋２０の上部に配置されており、反応剤Ｐに混合する溶液Ｑを収容せしめる第２収容部３１を備えている（図１参照）。この第２収容部３１の底部には、開封自在なシール材３２を設けてあり、このシール材３２を前記破断用突起２２にて突き破ることで、第２収容部３１の溶液Ｑが漏れ出し、中蓋２０の流入孔２１から第１収容部１１に流入する（図５参照）。このとき、吊持部２４Ａの溝に沿って流入孔２１を開穿することで、側板２０内の溶液Ｑを第１収容部１１へと確実に導入することができる。
【００２７】
回転リング４０は、中蓋２０及び上蓋３０に連結すると共に、これらを容器本体１０の第１収容部１１に着脱自在に装着するものである（図１、図２参照）。この回転リング４０は、容器本体１０の開口外周部に設けたフランジ１３にねじ止め装着する（図２参照）。そして、中蓋２０及び上蓋３０の周囲に、この回転リング４０を回転自在に装着している。このような回転リング４０をフランジ１３にネジ止めすると、中蓋２０及び上蓋３０が、回転リング４０と共にフランジ１３に装着されることになる。更に、中蓋２０の密封突部２３及び密封突部２３は、回転リング４０を締め付けるほど容器本体１０の開口部をしっかりと施蓋するようになる（図１参照）。また、回転リング４０を緩めると、これら密封突部２３及び密封突部２３は、容器本体１０の開口部から離脱するようになる（図２参照）。
【００２８】
更に、この回転リング４０と前記上蓋３０との間に連結帯体４３を設けている（図３参照）。この連結帯体４３を回転リング４０から取り除いたときに（図４参照）、回転リング４０からフリーになった上蓋３０が中蓋２０方向にスライドするように設けている。そして、このように上蓋３０を中蓋２０方向にスライド移動させると、第２収容部３１のシール材３２を中蓋２０の破断用突起２２が突き破るものである（図５参照）。
【００２９】
図示例の回転リング４０は、容器本体１０のフランジ１３にねじ止め自在に装着するネジ部４１と、中蓋２０の外周に設けられたフランジ２６を回転自在に保持する中蓋保持溝４２とを設けている（図２参照）。更に、中蓋２０の外周に上蓋３０をスライド自在に嵌合し、回転リング４０の上部に設けた連結帯体４３を介して上蓋３０を回転自在に保持すると共に、この上蓋３０が下方へスライドするのをこの連結帯体４３により阻止している。図示の連結帯体４３は、回転リング４０の上端に、薄肉部４３Ａや切り離し用のスリット４３Ｂなどを介して切り離し容易に設けられ（図４参照）、上蓋３０の外周に回転自在に装着すると共に、上蓋３０の外周や下端部等に係止して上蓋３０が下方へ移動するのを阻止するものである（図３参照）。そして、回転リング４０から、この連結帯体４３を切り離すと（図４参照）、上蓋３０のスライド移動を阻止するものがなくなるので、この上蓋３０を強制的に中蓋２０方向へ押し込むことが可能になる（図５参照）。
【００３０】
反応剤Ｐや溶液Ｑは、目的に応じて任意に変更することができる。たとえば、第１収容部１１内に収容する反応剤Ｐに、細菌の有無を検査する検査液を収容し、第２収容部３１内に収容する溶液Ｑに、第２収容部３１内の反応剤Ｐ及び採種棒５０を殺菌する消毒液を収容すると、簡単な細菌検査キットとして使用できる。すなわち、採種棒５０を使用して、たとえば営業用の台所などにおける細菌の有無を簡単に確認し、その後、採種棒５０と反応剤Ｐを溶液Ｑで簡単に消毒することができる。
【００３１】
このような細菌検査キットの使用手順は、まず容器本体１０から外した中蓋２０を操作して、この懸吊突部２４に吊持した採種棒５０で被検査部位を撫で回し、菌を採種する。次に、菌採種後の採種棒５０を第１収容部１１に挿入し、収納した検査液に接触させ、細菌の有無を判定する。この判定後、回転リング４０の連結帯体４３を切り離し、上蓋３０を押し下げて、シール材３２を破る。そうすると、第２収容部３１内の消毒液が中蓋２０の流入孔２１を通過して第１収容部１１内に流入し、検査後の検査液と採種棒５０とを同時に消毒するものである。
【００３２】
また、第１収容部１１内に収容する反応剤Ｐとして、細菌を培養する液状、ゲル状、粉末状の培養地を収容しておき、第２収容部３１内に収容する溶液Ｑとして、培養地の環境を左右せしめる添加剤を収容することで、細菌等を培養するキットとしても使用可能である。
【００３３】
尚、本発明における図示例の各構成は、本発明の一実施例に過ぎず、容器本体１０や中蓋２０、上蓋３０や回転リング４０等の形状や構造等の設計変更、材質の転換及び使用態様の変更など、本発明の要旨を変更しない範囲において自由に変更することができるものである。
【図面の簡単な説明】
【００３４】
【図１】本発明の使用前の実施例を示す縦断面図である。
【図２】本発明の使用状態を示す縦断面図である。
【図３】本発明の検査状態を示す縦断面図である。
【図４】本発明の連結帯体を切り離した状態を示す縦断面図である。
【図５】本発明の上蓋を押し下げてシール材を破断した状態を示す縦断面図である。
【図６】本発明の中蓋の一実施例を示す斜視図である。
【図７】本発明の中蓋の一実施例を示す側面図である。
【符号の説明】
【００３５】
Ｐ  反応剤  
Ｑ  溶液
１０  容器本体
１１  第１収容部
１２  棒収納部
１３  フランジ
２０  中蓋
２１  流入孔
２２  破断用突起
２３  密封突部
２４  懸吊突部
２４Ａ吊持部
２５  開放保持部  
２６  フランジ
３０  上蓋
３１  第２収容部
３２  シール材
４０  回転リング
４１  ネジ部
４２  中蓋保持溝
４３  連結帯体
４３Ａ薄肉部
４３Ｂスリット
５０  採種棒
【図１】
2008128761.tif 000003
【図２】
2008128761.tif 000004
【図３】
2008128761.tif 000005
【図４】
2008128761.tif 000006
【図５】
2008128761.tif 000007
【図６】
2008128761.tif 000008
【図７】
2008128761.tif 000009